(57)【要約】【課題】脚立等の昇降具を、手摺り等の立上り部からの距離を任意の距離にして床の上に設置することができて、床の上での昇降具の設置箇所を自由に設定できるようになる昇降具の固定装置を提供すること。【解決手段】本昇降具の固定装置は、床３０の端部に立上り部である手摺り３１が設けられ、床３０の上に設置される昇降具である脚立１により、手摺り３１に対し床３０とは反対側に構築された仮設足場３３と床３０との間を作業者が手摺り３１の上を越えて往来する際に、脚立１を手摺り３１に固定できるようにするために、手摺り３１をこの手摺り３１の厚さ方向から挟着することにより、脚立１を手摺り３１に固定するための２個の挟着部材１８，１９を有している固定装置であり、２個の挟着部材１８，１９は、手摺り３１の厚さ方向に移動可能となっている。【選択図】図１
2019099992.tif 000002
【特許請求の範囲】
【請求項１】
床の端部に立上り部が設けられ、前記床の上に設置される昇降具により、前記立上り部に対し前記床とは反対側に構築されている仮設足場と前記床との間を前記立上り部の上を越えて往来するために、前記昇降具に設けられていて、前記昇降具を前記立上り部に固定するための固定装置であって、前記立上り部をこの立上り部の厚さ方向から挟着することで前記昇降具を前記立上り部に固定するための２個の挟着部材を有する昇降具の固定装置において、
前記２個の挟着部材が前記立上り部の厚さ方向に移動可能となっていることを特徴とする昇降具の固定装置。
【請求項２】
請求項１に記載の昇降具の固定装置において、前記昇降具に結合された本体と、この本体から前記立上り部の厚さ方向が長さ方向となって延びているアーム部材とを有し、このアーム部材に前記２個の挟着部材が前記アーム部材の長さ方向に移動可能に配置されていることを特徴とする昇降具の固定装置。
【請求項３】
請求項２に記載の昇降具の固定装置において、前記２個の挟着部材のうち、少なくとも前記立上り部に対し前記仮設足場側に配置される挟着部材が、前記アーム部材を中心に上下方向に回動可能となっていることを特徴とする昇降具の固定装置。
【請求項４】
請求項３に記載の昇降具の固定装置において、前記２個の挟着部材のそれぞれが、前記アーム部材を中心に上下方向に回動可能となっていることを特徴とする昇降具の固定装置。
【請求項５】
請求項２〜４のいずれかに記載の昇降具の固定装置において、前記アーム部材は前記本体に対し上下方向の成分を有する方向に移動可能となっていることを特徴とする昇降具の固定装置。
【請求項６】
請求項２〜５のいずれかに記載の昇降具の固定装置において、前記アーム部材は前記本体に上下方向の成分を有する方向に回動自在に連結されていることを特徴とする昇降具の固定装置。
【請求項７】
請求項２〜６に記載の昇降具の固定装置において、前記本体に、手を掛けることができる手掛け部材が設けられていることを特徴とする昇降具の固定装置。
【請求項８】
請求項７に記載の昇降具の固定装置において、前記手掛け部材は前記本体に対し伸縮可能となっていることを特徴とする昇降具の固定装置。
【発明の詳細な説明】
【技術分野】
【０００１】
本発明は、ベランダ等の床の上に設置された昇降具を手摺り壁等の立上り部に固定することにより、床と仮設足場との間を立上り部の上を越えて往来できるようにするための昇降具の固定装置に係り、例えば、脚立や梯子、踏み台等の昇降具を手摺り壁等の立上り部に固定するために利用できるものである。
【背景技術】
【０００２】
集合住宅等の建築中又は既存の建築物の周囲に、この建築物に関する作業のための仮設足場を構築する場合において、ベランダ等の床の端部に手摺り壁等の立上り部が設けられていて、床の上に設置された脚立等の昇降具により、立上り部に対し床とは反対側に構築されている仮設足場と床との間を作業者が立上り部の上を越えて安全に往来できるようにするために、昇降具を立上り部に固定することが求められ、このような固定装置は下記の特許文献１に示されている。
【０００３】
この固定装置は、昇降具である梯子の上端部に、立上り部となっている手摺り壁の上面に載置される踏み板の基部を上下に回動自在に連結し、この踏み板の先端に下方へ折曲した折曲片を設けるとともに、踏み板の下面に折曲片に向かってスライド自在となったスライド板を設け、このスライド板のスライドにより、手摺り壁をこの手摺り壁の厚さ方向から折曲片とスライド板とで挟着することにより、梯子を手摺り壁に固定することができるようにしたものであり、折曲片とスライド板は、手摺り壁をこの手摺り壁の厚さ方向から挟着するための２個の挟着部材となっている。
【先行技術文献】
【特許文献】
【０００４】
【特許文献１】実用新案登録第３１８８９２８号公報
【発明の概要】
【発明が解決しようとする課題】
【０００５】
特許文献１の昇降具の固定装置では、スライド板が、手摺り壁の厚さ寸法に対応して手摺り壁の厚さ方向に移動可能になった挟着部材となっているが、折曲片は、手摺り壁の厚さ方向に移動不能になった挟着部材となっているため、これらの折曲片とスライド板とで手摺り壁をこの手摺り壁の厚さ方向から挟着することにより昇降具を手摺り壁に固定するためには、梯子をベランダ等の床の上に設置する際に、折曲片の位置を手摺り壁の外面と一致する位置にして、梯子を床の上に設置しなければならず、このため、梯子を、手摺り壁からの距離を任意の距離にして床の上に設置することはできない。
【０００６】
本発明の目的は、昇降具を、立上り部からの距離を任意の距離にして床の上に設置することができて、床の上での昇降具の設置箇所を自由に設定できるようになる昇降具の固定装置を提供するところにある。
【課題を解決するための手段】
【０００７】
本発明に係る昇降具の固定装置は、床の端部に立上り部が設けられ、前記床の上に設置される昇降具により、前記立上り部に対し前記床とは反対側に構築されている仮設足場と前記床との間を前記立上り部の上を越えて往来するために、前記昇降具に設けられていて、前記昇降具を前記立上り部に固定するための固定装置であって、前記立上り部をこの立上り部の厚さ方向から挟着することで前記昇降具を前記立上り部に固定するための２個の挟着部材を有する昇降具の固定装置において、前記２個の挟着部材が前記立上り部の厚さ方向に移動可能となっていることを特徴とするものである。
【０００８】
この昇降具の固定装置では、２個の挟着部材が立上り部の厚さ方向に移動可能となっているため、立上り部の厚さ寸法に有効に対応できるとともに、昇降具を、立上り部からの距離を任意の距離にして床の上に設置しても、２個の挟着部材を立上り部の厚さ方向に移動させることにより、これらの挟着部材で立上り部をこの立上り部の厚さ方向から挟着して昇降具を立上り部に固定することができ、床の上での昇降具の設置箇所を自由に設定できるため、昇降具の設置作業を容易に行える。
【０００９】
以上の本発明に係る昇降具の固定装置は、それぞれが立上り部の厚さ方向に移動可能となった２個の挟着部材を備えていれば、任意の構造により構成することができる。その一例の昇降具の固定装置は、昇降具に結合された本体と、この本体から立上り部の厚さ方向が長さ方向となって延びているアーム部材とを有するものとすることである。このように昇降具の固定装置を構成する場合には、アーム部材に２個の挟着部材をアーム部材の長さ方向に移動可能に配置すればよい。
【００１０】
なお、本体は、１本のパイプ材等の棒状部材によるものでもよく、あるいは、複数の部材を縦横等に組み合わせて形成したものでもよい。また、アーム部材も、１本のパイプ材等の棒状部材によるものでもよく、あるいは、複数の部材を縦横等に組み合わせて形成したものでもよい。
【００１１】
また、上述のようにアーム部材に２個の挟着部材をアーム部材の長さ方向に移動可能に配置する場合には、２個の挟着部材のうち、少なくとも立上り部に対し前記仮設足場側に配置される挟着部材を、アーム部材を中心に上下方向に回動可能としてもよい。
【００１２】
これによると、２個の挟着部材のうち、少なくとも立上り部に対し仮設足場側に配置される挟着部材を水平又は略水平の向きにすることができるため、立上り部が上下方向の小さな寸法を有するすき間を有して形成されている場合に、２個の挟着部材のうち、立上り部に対し仮設足場側に配置される挟着部材を水平又は略水平の向きにすることにより、この挟着部材とアーム部材の先部とをすき間の内部を通過させることができ、これにより、２個の挟着部材により立上り部をこの立上り部の厚さ方向から挟着させることができる。
【００１３】
また、２個の挟着部材のそれぞれを、アーム部材を中心に上下方向に回動可能としてもよい。
【００１４】
これによると、それぞれの挟着部材の向きを、これらの挟着部材が立上り部をこの立上り部の厚さ方向から挟着するときとは異なる向きに変更できるため、本発明に係る固定装置を備えた昇降具の収納等を有効に行える。
【００１５】
また、本発明に係る昇降具の固定装置において、アーム部材を本体に固定状態で結合してもよいが、アーム部材を本体に対し上下方向の成分を有する方向に移動可能としてもよい。
【００１６】
アーム部材を本体に対し上下方向の成分を有する方向に移動可能にすると、アーム部材の高さ位置を変更することができるため、高さ寸法が異なる立上り部に有効に対応できるようになる。
【００１７】
また、本発明に係る昇降具の固定装置において、アーム部材を本体に固定状態で連結するのではなく、アーム部材を本体に上下方向の成分を有する方向に回動自在に連結してもよい。
【００１８】
これによると、アーム部材を本体に対し上下方向の成分を有する方向に回動させることにより、アーム部材を本体に近づけることができるため、本発明に係る固定装置を備えた昇降具の全体を収納等のために小型化することができ、これにより、この昇降具の収納等を有効に行えるようになる。
【００１９】
また、本体には、手を掛けることができる手掛け部材を設けてもよい。
【００２０】
これによると、床の上に設置された昇降具により、立上り部に対し床とは反対側に構築されている仮設足場と床との間を作業者が立上り部の上を越えて往来する際に、この作業者は手掛け部材に手を掛けることができるため、この往来を容易に行える。
【００２１】
また、このように本体に、手を掛けることができる手掛け部材を設ける場合には、この手掛け部材を本体に固定された状態で設けてもよいが、手掛け部材を本体に対し伸縮可能にしてもよい。
【００２２】
これによると、手掛け部材を本体に対し収縮させることにより、本発明に係る固定装置を備えた昇降具の全体を小型化することができるため、この昇降具の収納等を有効に行える。
【００２３】
以上説明した本発明において、床の上に設置される昇降具は、脚立でもよく、梯子でもよく、踏み台でもよく、作業者が昇降するための任意の昇降具でよい。また、床の端部に設けられる立上り部は、手摺り壁でもよく、複数の部材を縦横等に組み合わせて形成された手摺りでもよく、壁と、この壁の上方に配置されたトップ部材とからなる手摺りでもよく、パラペットでもよく、任意の構造で形成されている立上り部でよい。
【発明の効果】
【００２４】
本発明によると、昇降具を、立上り部からの距離を任意の距離にして床の上に設置できて、床の上での昇降具の設置箇所を自由に設定できるという効果を得られる。
【図面の簡単な説明】
【００２５】
【図１】図１は、本発明の一実施形態に係る固定装置付き昇降具となっている脚立をベランダの床の上に設置した状態を、一部を想像線である二点鎖線で示した斜視図である。
【図２】図２は、図１の固定装置付き昇降具の全体を示す斜視図である。
【図３】図３は、図１の固定装置付き昇降具の全体を示す正面図である。
【図４】図４は、図１の固定装置付き昇降具の全体を示す側面図である。
【図５】図５は、固定装置の本体とアーム部材との部分を示す拡大断面図である。
【図６】図６は、アーム部材の先部を立上り部である手摺りに設けられている上下のすき間に挿入するときを示す図である。
【発明を実施するための形態】
【００２６】
以下に本発明を実施するための形態を図面に基づいて説明する。図１には、集合住宅等のベランダの床３０の上に本発明の一実施形態に係る固定装置付き昇降具となっている脚立１を設置した状態が示されており、この脚立１の全体図は、図２〜図４に示されている。図２に示されているように、脚立１は、左右一対のささら桁２の間に上下複数個の踏み板３を架け渡した梯子部４と、それぞれのささら桁２に屈曲部５Ａを有する連結部材５を介して連結されている左右一対の支持柱６を有する支え部７とからなり、この支え部７の上部には、梯子部４の上下複数個の踏み板３のうち、最上段の踏み板３との連続性が確保されて踏み板８が配置されているとともに、この支え部７の上部は、図４に示されているように、梯子部４の高さ方向途中部にピン９により連結されており、左右一対のささら桁２の上端には、図２及び図３で示されている横部材１０が架設されている。
【００２７】
ベランダの床３０の上に脚立１を設置する場合には、支え部７を梯子部４に対しピン９を中心に開き、傾斜した梯子部４を支え部７により支持する。また、この脚立１を収納等する場合には、連結部材５を屈曲部５Ａで屈曲させることにより支え部７をピン９を中心に回動させ、これにより、この支え部７を梯子部４に対し折り畳むことができる。
【００２８】
図１に示されているように、ベランダの床３０の端部には、本実施形態に係る立上り部となっている手摺り３１が設けられており、この手摺り３１は、本実施形態では、コンクリート製の壁３１Ａと、この壁３１Ａの上方に配設され、壁３１Ａに短寸の柱３１Ｂで支持されているトップレール３１Ｃとを含んで構成されたものになっており、壁３１Ａとトップレール３１Ｃとの間は、上下方向の小さな寸法を有するすき間３２になっている。そして、手摺り３１に対し床３０とは反対側には仮設足場３３が構築されており、この仮設足場３３は、作業者が乗って作業を行う作業布板３３Ａを含んで構成されている。
【００２９】
図２に示されているように、脚立１の一対のささら桁２のうち、一方のささら桁２には、本実施形態に係る固定装置の本体１１が結合具１２により結合されている。この本体１１は、本実施形態では１本の丸パイプ材によるものであり、本体１１の下端部は、板金の折り曲げ品等による結合具１２にビス等の止着具により止着され、本体１１は、図３に示されているように、梯子部４の上端部に設けられている横部材１０を越える高さ位置まで、図４に示されているようにささら桁２に沿って上方へ延びている。
【００３０】
図２及び図３に示されているように、ささら桁２に沿って上下方向の長さを有する本体１１には、本体１１の長さ方向の途中において、横方向に延びるアーム部材１３が連結されており、このアーム部材１３は、１本の丸パイプ材によるものである。図５には、本体１１とアーム部材１３との部分を拡大した断面図が示されている。この図５に示されているように、本体１１の長さ方向の途中には、丸パイプ材で形成されたベース部材１４が本体１１の外周に嵌合されており、このベース部材１４に板金の折り曲げ品によるブラケット１５が溶接等で結合され、このブラケット１５にアーム部材１３における本体１１側の基部がピン１６で連結され、これにより、アーム部材１３は本体１１にベース部材１４とブラケット１５とピン１６を介して連結されている。そして、アーム部材１３は、本体１１に対しピン１６を中心に図５で示すＡ方向に回動可能となっており、このＡ方向は、本体１１が傾斜している梯子部４のささら桁２と平行になっているため、上下方向の成分を有する方向となっている。
【００３１】
ベース部材１４は、本体１１を形成している上述の丸パイプ材の外径よりも内径が少し大きい丸パイプ材によるものであるため、このベース部材１４及びアーム部材１３は、図５で示す上下方向の成分を有するＢ方向へ、すなわち、梯子部４のささら桁２の長さに沿った方向へ本体１１に対し移動可能となっており、また、ベース部材１４及びアーム部材１３は、本体１１を中心にＣ方向へ回動可能となっている。
【００３２】
ベース部材１４には、このベース部材１４及びアーム部材１３のＢ方向への移動とＣ方向への回動とを止めるための締付手段１７が設けられ、この締付手段１７は、回転操作される回転部材１７Ａが端部に結合された雄ねじ軸１７Ｂをベース部材１４に取り付けたナット１７Ｃに螺入させたものであり、このため、締付手段１７は、回転部材１７Ａの正方向への回転操作によって雄ねじ軸１７Ｂの先端を本体１１の外周面に押圧させることにより、ベース部材１４及びアーム部材１３のＢ方向への移動とＣ方向への回動とが止められる止めねじ方式のものとなっている。
【００３３】
アーム部材１３には、２個の挟着部材１８，１９がアーム部材１３の長さ方向に並設されており、これらの挟着部材１８，１９をアーム部材１３に並設するために、アーム部材１３の外周には、丸パイプ材で形成された２個のベース部材２０，２１が嵌合され、これらのベース部材２０，２１に挟着部材１８，１９の長さ方向の一方の端部が溶接等で結合されている。ベース部材２０，２１は、アーム部材１３を形成している上述の丸パイプ材の外径よりも内径が少し大きい丸パイプ材によるものであり、このため、ベース部材２０，２１及び挟着部材１８，１９は、図５で示すアーム部材１３の長さ方向であるＤ方向、Ｅ方向へ移動可能であり、また、ベース部材２０，２１及び挟着部材１８，１９は、アーム部材１３を中心にＦ方向、Ｇ方向へ回動可能となっている。
【００３４】
ベース部材２０，２１には、ベース部材２０，２１及び挟着部材１８，１９のＤ方向、Ｅ方向への移動と、Ｆ方向、Ｇ方向への回動とを止めるための締付手段２２，２３が設けられ、これらの締付手段２２，２３も、回転操作される回転部材２２Ａ，２３Ａが端部に結合された雄ねじ軸２２Ｂ，２３Ｂをベース部材２０，２１に取り付けたナット２２Ｃ，２３Ｃに螺入させたものであり、このため、締付手段２２，２３は、回転部材２２Ａ，２３Ａの正方向への回転操作によって雄ねじ軸２２Ｂ，２３Ｂの先端をアーム部材１３の外周面に押圧させることにより、ベース部材２０，２１及び挟着部材１８，１９のＤ方向、Ｅ方向への移動と、Ｆ方向、Ｇ方向への回動とが止められる止めねじ方式のものとなっている。
【００３５】
なお、アーム部材１３における本体１１とは反対側の先端部には、ベース部材２０，２１及び挟着部材１８，１９がアーム部材１３から脱落することを防止するための脱落防止具２４が配置されており、この脱落防止具２４は、例えば、アーム部材１３にボルトの軸部をこのアーム部材１３の直径方向に貫通させ、この軸部の先端にナットを螺合したものである。
【００３６】
図５に示されているように、本体１１には手掛け部材２５が設けられている。この手掛け部材２５は、本体１１を形成している前述の丸パイプ材の内径よりも外径が少し小さい大きい丸パイプ材又は丸棒材によって形成されていて、本体１１の内部に下側の部分が挿入されているものである。このため、手掛け部材２５は本体１１に対し挿抜するＨ方向、すなわち、本体１１の長さ方向に移動可能となっており、この移動を行わせることにより、手掛け部材２５は本体１１に対し伸縮する。本体１１には、手掛け部材２５の本体１１に対する伸縮を止めるための締付手段２６が設けられ、この締付手段２６も、回転操作される回転部材２６Ａが端部に結合された雄ねじ軸２６Ｂを本体１１に取り付けたナット２６Ｃに螺入させたものであり、このため、締付手段２６は、回転部材２６Ａの正方向への回転操作によって雄ねじ軸２６Ｂの先端を本体１１の外周面に押圧させることにより、手掛け部材２５のＨ方向への移動が止められる止めねじ方式のものとなっている。
【００３７】
以上説明した本実施形態において、締付手段１７，２２，２３，２６の回転部材１７Ａ，２２Ａ，２３Ａ，２６Ａ及び雄ねじ軸１７Ｂ，２２Ｂ，２３Ｂ，２６Ｂの落下を防止するために、締付手段１７及び２６については、本体１１の外周に巻回されたループ部を有する紐状部材１７Ｄ，２６Ｄが、締付手段２２及び２３については、アーム部材１３の外周に巻回されたループ部を有する紐状部材２２Ｄ，２３Ｄが、それぞれ本実施形態の脚立１１の固定装置に設けられている。
【００３８】
次に、図１に示されているように、ベランダの床３０の上に設置された脚立１を、２個の挟着部材１８，１９により手摺り３１の厚さ方向からこの手摺り３１を挟着することにより、手摺り３１に固定するための作業について説明する。
【００３９】
脚立１を床３０の上に設置した後に、締付手段１７の回転部材１７Ａを逆方向に回転操作し、これにより、締付手段１７を緩め、アーム部材１３の基部が連結されているベース部材１４を本体１１に沿って図５のＢ方向に移動させて、アーム部材１３の高さ位置を、図６で示されている手摺り３１のコンクリート製の壁３１Ａとトップレール３１Ｃとの間のすき間３２の高さ位置と一致させるとともに、ベース部材１４を本体１１を中心に図５のＣ方向に回動させて、アーム部材１３の延出方向をすき間３２が存在する方向とし、言い換えると、アーム部材１３の長さ方向を、すき間３２が設けられている手摺り３１の厚さ方向とし、この後に、締付手段１７の回転部材２３Ａを正方向に回転することにより締付手段１７の締め付け操作を行う。
【００４０】
そして、アーム部材１３に配置されている２個の挟着部材１８，１９のうち、手摺り３１の外側、言い換えると、図１で示されている仮設足場３３側に配置されるべき挟着部材１９、及びこの挟着部材１９が取り付けられているベース部材２１をアーム部材１３に止めている締付手段２３の回転部材２３Ａを逆方向に回転し、これにより、締付手段２３を緩める操作を行い、次いで、ベース部材２１を、アーム部材１３を中心に図５のＧ方向へ回動させ、これにより、ベース部材２１から下向きに延びていた挟着部材１９を、図６に示されているように、水平又は略水平の向きにし、この後に、締付手段２３の締め付け操作を行う。
【００４１】
この後に、脚立１を手摺り３１に近づける方向へ移動させ、これにより、アーム部材１３の先部及び挟着部材１９を、手摺り３１のコンクリート製の壁３１Ａとトップレール３１Ｃとの間に小さな上下寸法で形成されているすき間３２の内部に挿入する。これにより、２個の挟着部材１８，１９のうち、挟着部材１９を手摺り３１の外側に配置し、挟着部材１８は手摺り３１の内側に配置する。この後に、挟着部材１９及びベース部材２１のための締付手段２３を緩め、また、挟着部材１８及びベース部材２０のための締付手段２２も緩める。
【００４２】
次いで、挟着部材１９及びベース部材２１をアーム部材１３に沿って図５のＥ方向のうち、手摺り３１側へ移動させて、この挟着部材１９をこの手摺り３１のコンクリート製の壁３１Ａの外側面に当接させ、締付手段２３の締め付け操作を行う。また、挟着部材１８及びベース部材２０をアーム部材１３に沿って図５のＤ方向のうち、手摺り３１側へ移動させて、この挟着部材１８をコンクリート製の壁３１Ａの内側面に当接させ、締付手段２２の締め付け操作を行う。これにより、アーム部材１３の長さ方向になっている手摺り３１の厚さ方向へ移動した２個の挟着部材１８，１９は、手摺り３１をこの手摺り３１の厚さ方向から挟着することになり、これにより、脚立１は、ベランダの床３０の上において、２個の挟着部材１８，１９等で構成されている固定装置により手摺り３１に固定されることになる。
【００４３】
なお、本実施形態の手摺り３１は、図６に示されているように、コンクリート製の壁３１Ａの上面にキャップ部材３４を被せたものとなっているため、２個の挟着部材１８，１９をコンクリート製の壁３１Ａの内外の側面に当接させることは、キャップ部材３４の内外の折り曲げ部３４Ａ，３４Ｂに２個の挟着部材１８，１９を当接させることである。
【００４４】
図１に示されている仮設足場３３に設けられている作業布板３３Ａの上に乗って作業を行う作業者が、脚立１を昇降して仮設足場３３と床３０との間を手摺り３１の上を越えて往来する際には、手掛け部材２５を本体１１に止めていた締付手段２６を緩め、これにより、手掛け部材２５を、図５のＨ方向のうち、上方へ引き出す。これにより、手掛け部材２５は本体１１からの上方への延伸長さが大きくなり、この延伸長さを所定長さとした後に、締付手段２６の締め付け操作を行うことにより、手掛け部材２５を本体１１に固定する。そして、上述の作業者は、手掛け部材２５に手を掛けることにより、脚立１と仮設足場３３との間を手摺り３１の上を越えて往来する。
【００４５】
以上説明した本実施形態によると、ベランダの床３０の上に設置される脚立１は、この脚立１を手摺り３１に固定するための固定装置を備えており、この固定装置は、手摺り３１をこの手摺り３１の厚さ方向から挟着する２個の挟着部材１８，１９を有するものであって、これらの挟着部材１８，１９のそれぞれは、アーム部材１３の長さ方向、言い換えると、手摺り３１の厚さ方向に移動可能となっているため、手摺り３１の厚さ寸法に有効に対応できるとともに、脚立１を、床３０の上において、手摺り３１からの距離を任意の距離にして設置しても、２個の挟着部材１８，１９により脚立１を手摺り３１に固定することができ、このため、脚立１の設置箇所を自由に設定できることになり、脚立１の設置作業を容易に行える。
【００４６】
また、本実施形態によると、手摺り３１の外側、言い換えると、手摺り３１に対し仮設足場３３側に配置される挟着部材１９は、アーム部材１３を中心に上下方向に回動可能となっているため、手摺り３１が、上下寸法が小さいすき間３２を有するものであっても、挟着部材１９を水平又は略水平の向きにすることにより、この挟着部材１９とアーム部材１３の先部とを手摺り３１のすき間３２の内部を通過させて手摺り３１の外側へ移動させることができ、これにより、２個の挟着部材１８，１９によって手摺り３１をこの手摺り３１の厚さ方向から挟着させることができる。また、ベランダの床３０から脚立１を撤去する際も、挟着部材１９を水平又は略水平の向きにすることにより、挟着部材１９とアーム部材１３の先部とをすき間３２の内部を通過させて手摺り３１の内側へ戻すことができる。
【００４７】
また、２個の挟着部材１８，１９が配置されているアーム部材１３は、本体１１に沿って上下方向に移動可能となっているため、高さ寸法が異なるそれぞれの手摺りに有効に対応することができる。
【００４８】
また、２個の挟着部材１８，１９のそれぞれがアーム部材１３を中心に上下方向に回動可能となっているため、本実施形態に係る固定装置を備えた脚立１を前述したように収納等するために、脚立１の支え部７を梯子部４に対し折り畳むとき等において、固定装置を備えた脚立１の全体を小型化できる方向にそれぞれの挟着部材１８，１９の向きを自由に変更することができる。
【００４９】
さらに、脚立１に設けられている上述の固定装置は、アーム部材１３が本体１１を中心に回動可能になっているとともに、アーム部材１３は、本体１１にピン１６を中心に上下方向の成分を有する方向に回動可能に連結されているため、これらの回動可能機能によっても、脚立１を収納等するために、脚立１の支え部７を梯子部４に対し折り畳むとき等において、固定装置を備えた脚立１の全体を小型化できることになる。
【００５０】
さらに、本実施形態によると、脚立１を手摺り３１に２個の挟着部材１８，１９で固定するための固定装置には、作業者が手を掛けることができる手掛け部材２５が設けられているため、作業者は、この手掛け部材２５を利用して、手摺り３１の上を越えながら脚立１と仮設足場３３との間を容易に往来することができる。
【００５１】
また、手掛け部材２５は、この手掛け部材２５を本体１１に対し挿抜する方向に移動可能となっているため、本体１１に対し手掛け部材２５は伸縮可能となっており、このため、本体１１からの手掛け部材２５の突出量を小さくすることにより、脚立１を収納等するときに、手掛け部材２５の本体１１からの突出量についても、固定装置を備えた脚立１の全体を小型化できることになる。
【産業上の利用可能性】
【００５２】
本発明は、ベランダ等の床の上に設置された脚立等の昇降具を手摺り等の立上り部に固定するために利用することができる。
【符号の説明】
【００５３】
１  昇降具である脚立
１１  本体
１３  アーム部材
１４  アーム部材のベース部材
１５  ブラケット
１６  ピン
１７，２２，２３，２６  締付手段
１８，１９  挟着部材
２０，２１  挟着部材のベース部材
２５  手掛け部材
３１  立上り部である手摺り
３２  手摺りのすき間
３３  仮設足場
【図１】
2019099992.tif 000003
【図２】
2019099992.tif 000004
【図３】
2019099992.tif 000005
【図４】
2019099992.tif 000006
【図５】
2019099992.tif 000007
【図６】
2019099992.tif 000008